(57)【特許請求の範囲】
【請求項１】
箱状に組み立てられ被梱包物が内部に収容される梱包体と、該梱包体の内部に収容され、該被梱包物の少なくとも一部を覆う緩衝体とからなる梱包組物であって、
前記梱包体は、４辺を有する矩形の第１面部と、
前記第１面部の第１辺に連続する第２面部と、
前記第１面部の第２辺に連続する第３面部と、
前記第１面部の第３辺に連続する第４面部と、
前記第１面部の第４辺に連続する第５面部と、
前記第２面部から前記第５面部のいずれかの少なくとも１つに連続し、組み立てられた状態で前記第１面部と対向する開放可能な第６面部と、を備え、
前記第２面部から前記第５面部は前記組み立てられた状態で前記箱状の内側に折り込み可能な折込部を備え、
前記緩衝体は、
前記箱状の内側の前記第１面部側に配置され、少なくとも前記折込部の一部を挟み込む溝部が形成された第１緩衝体と、
前記箱状の内側において、前記第１緩衝体よりも前記第６面部側に配置され、少なくとも前記折込部の一部を挟み込む溝部が形成された第２緩衝体と、を備え、
前記第１緩衝体及び前記第２緩衝体により形成される空間に前記被梱包物が配置されることを特徴とする梱包組物。
【請求項２】
前記折込部は、
基部と、
前記組み立てられた状態で前記第１面部側から前記第６面部側に向けて前記基部より延伸する凸部と、を備え、
前記第１緩衝体の溝部は、少なくとも前記基部の一部を挟み込み、
前記第２緩衝体の溝部は、前記凸部と前記第６面部側から前記第２面部側に向かう方向で嵌合することを特徴とする請求項１記載の梱包組物。
【請求項３】
前記折込部は、
基部と、
前記組み立てられた状態で前記第１面部側から前記第６面部側に向けて前記基部より延伸する第１凸部と、
前記組み立てられた状態で前記第１凸部より、前記第１面部に近い位置かつ前記箱状の内側の位置から前記第６面部側に向けて前記基部より延伸する少なくとも１つ以上の第２凸部と、を備え、
前記第１緩衝体の溝部は、少なくとも１つの前記第２凸部の一部と嵌合し、
前記第２緩衝体の溝部は、前記第１凸部及び前記第２凸部と前記第６面部側から前記第１面部側に向かう方向で嵌合することを特徴とする請求項１記載の梱包組物。
【請求項４】
前記第１面部に最も近い位置の前記第２凸部は、前記第６面部側から前記第１面部側に向かう方向で前記第１緩衝体と嵌合し、前記第１面部側から前記第６面部側に向かう方向で前記第２緩衝体と嵌合することを特徴とする請求項３記載の梱包組物。
【請求項５】
前記第１緩衝体及び前記第２緩衝体は平面視で四隅に前記溝部が形成された直方体であることを特徴とする請求項１乃至４のいずれか１項記載の梱包組物。
【発明の詳細な説明】
【技術分野】
【０００１】
本発明は、被梱包物を梱包する梱包体と緩衝体からなる梱包組物に関する。
【背景技術】
【０００２】
従来、所定の形状に切断された平板状の段ボール等の梱包体を箱状に組み立てて、被梱包物を内部に収納するように梱包する場合において、外部６方向からの衝撃等による損傷等を抑止するために発泡スチロール等の対になる緩衝材により被梱包物を覆うことが行われている。
【０００３】
特許文献１には、段ボール箱による個装カートンに収納すべき収納対象物が、凹状収納部が設けられた第１の緩衝材及び第２の緩衝材により当該凹状収納部により左右両側端部を挟み込まれるようにして保持される技術が記載されている。
【先行技術文献】
【特許文献】
【０００４】
【特許文献１】特開２００７−１３１３０７号公報
【発明の概要】
【発明が解決しようとする課題】
【０００５】
しかしながら、特許文献１に記載のように、被梱包物を覆う緩衝材は、外部６方向からの衝撃等による損傷等を効果的に抑止するために、箱状の梱包体（個装カートン）の内側表面に密着するように配置される。
【０００６】
開梱時、箱状の梱包体（個装カートン）の所定の面を開放した上で、被梱包物を当該開放した面側から引き抜くように取り出す際には、被梱包物を左右から覆っている緩衝材ごと取り出す必要があるが、箱状を保持したままの梱包体（個装カートン）と緩衝材が密着しているため食いつくこと等があり、その場合、取り出し作業に多大な労力が必要となるという問題点があった。さらに、無理に取り出そうとすると被梱包物が破損するおそれがあるという問題点があった。
これらの問題点は、第１の緩衝材及び第２の緩衝材により被梱包物を上下から覆っている場合も同様に生じていた。
【０００７】
本発明の目的は、ガタツキ（位置ずれ）が少なく強固に被梱包物を固定することができ、かつ、被梱包物を容易に取り出し可能な梱包組物を提供することにある。
【課題を解決するための手段】
【０００８】
上記目的を達成するために、第１の発明は、箱状に組み立てられ被梱包物が内部に収容される梱包体と、該梱包体の内部に収容され、該被梱包物の少なくとも一部を覆う緩衝体とからなる梱包組物であって、前記梱包体は、４辺を有する矩形の第１面部と、前記第１面部の第１辺に連続する第２面部と、前記第１面部の第２辺に連続する第３面部と、前記第１面部の第３辺に連続する第４面部と、前記第１面部の第４辺に連続する第５面部と、前記第２面部から前記第５面部のいずれかの少なくとも１つに連続し、組み立てられた状態で前記第１面部と対向する開放可能な第６面部と、を備え、前記第２面部から前記第５面部は前記組み立てられた状態で前記箱状の内側に折り込み可能な折込部を備え、前記緩衝体は、前記箱状の内側の前記第１面部側に配置され、少なくとも前記折込部の一部を挟み込む溝部が形成された第１緩衝体と、前記箱状の内側において、前記第１緩衝体よりも前記第６面部側に配置され、少なくとも前記折込部の一部を挟み込む溝部が形成された第２緩衝体と、を備え、前記第１緩衝体及び前記第２緩衝体により形成される空間に前記被梱包物が配置されることを特徴とする。
【０００９】
本願第１発明の梱包組物は、梱包体と、被梱包物を覆う緩衝体とからなる。所定の形に切断された平板状の段ボール等の梱包体を箱状に組み立てて、被梱包物を内部に収納するように梱包するが、外部６方向からの衝撃等による損傷等を抑止するために発泡スチロール等の上下の緩衝材（第２緩衝体及び第１緩衝体）により被梱包物を覆っている。ここで、外部６方向からの衝撃等衝撃等による損傷等を効果的に抑止するために、被梱包物を覆う緩衝材は、箱状の梱包体の内側表面に密着するように配置される。開梱時、箱状の梱包体の第６面部を開放して被梱包物を上方に引き抜くように取り出すには、被梱包物を覆っている緩衝材ごと（少なくとも上の緩衝材（第２緩衝体）を）取り出す必要があるが、箱状を保持したままの梱包体と緩衝材が密着しているため食いつくこと等があり、その場合、取り出し作業に多大な労力が必要となるばかりでなく、無理に取り出そうとすると被梱包物が破損するおそれもあった。
そこで、本願第１発明においては、梱包体に、４辺を有する矩形の第１面部と、前記第１面部の第１辺に連続する第２面部と、前記第１面部の第２辺に連続する第３面部と、前記第１面部の第３辺に連続する第４面部と、前記第１面部の第４辺に連続する第５面部と、前記第２面部から前記第５面部のいずれかの少なくとも１つに連続し、組み立てられた状態で前記第１面部と対向する開放可能な第６面部とを設ける。また、組み立てられ箱状となる梱包体の第２面部から第５面部に、箱状の内側に折り込み可能な折込部を設ける。また、上下の緩衝材（第２緩衝体及び第１緩衝体）に、それぞれ箱状の内側に折り込まれた折込部の一部を挟み込む溝部を設ける。
梱包体を箱状に組み立てて、上下の緩衝材（第２緩衝体及び第１緩衝体）で覆われている被梱包物を梱包する場合、上下の緩衝材（第２緩衝体及び第１緩衝体）の溝部には、それぞれ箱状の内側に折り込まれた第２面部から第５面部の折込部の一部が挟み込まれている。これにより、梱包時、緩衝材の溝部に折込部の一部を挟み込んでいない構造に比して、ガタツキが少なく強固に被梱包物を固定することができる。
さらに、梱包体の第１面部から第６面部を展開した状態で上記のような位置関係とすることにより、開梱時、箱状の梱包体の第６面部を開放して上側の緩衝材（第２緩衝体）を上方に引き抜くように取り出す際に、第２面部から第５面部を外側に押圧することで折込部の一部の挟み込みが緩み、箱状を保持する規制が少なくなり、梱包体と緩衝材の密着度が低減されて、上側の緩衝材（第２緩衝体）を上方に引き抜き易くなる。また、完全に上側の緩衝材（第２緩衝体）を上方に引き抜き取り出すと、上側の緩衝材（第２緩衝体）の溝部に挟み込まれていた第２面部から第５面部の折込部の一部がもはや挟み込まれないこととなり、箱状を保持する規制が少なくなり、箱状の梱包体は容易に展開されて平板状となる。そして、露わになった被梱包物を下側の緩衝材（第１緩衝体）から分離するように取り出すことは極めて容易に行える。なお、梱包時、上下の緩衝材（第２緩衝体及び第１緩衝体）の溝部に第２面部から第５面部の折込部の一部を挟み込むことでは箱状を保持する規制として十分でない場合には、紐等で第２面部から第５面部の周囲を縛って固定するようにしてもよい。
【００１０】
第２の発明は、上記第１発明において、前記折込部は、基部と、前記組み立てられた状態で前記第１面部側から前記第６面部側に向けて前記基部より延伸する凸部と、を備え、前記第１緩衝体の溝部は、少なくとも前記基部の一部を挟み込み、前記第２緩衝体の溝部は、前記凸部と前記第６面部側から前記第２面部側に向かう方向で嵌合することを特徴とする。
【００１１】
本願第２発明の梱包組物は、本願第１発明の梱包組物において、折込部に、基部と、組み立てられた状態で第１面部側から第６面部側に向けて基部より延伸する凸部とを設ける。下側の緩衝材（第１緩衝体）は、少なくとも基部の一部を挟み込み、また、上側の緩衝材（第２緩衝体）は、凸部と第６面部側から第１面部側に向かう方向で嵌合する。
梱包体を箱状に組み立てて、上下の緩衝材（第２緩衝体及び第１緩衝体）で覆われている被梱包物を梱包する場合、下側の緩衝材（第１緩衝体）の溝部には、それぞれ箱状の内側に折り込まれた第２面部から第５面部の折込部の少なくとも基部の一部が挟み込まれるとともに、上側の緩衝材（第２緩衝体）の溝部は、それぞれ箱状の内側に折り込まれた第２面部から第５面部の折込部の凸部と第６面部側から第１面部側に向かう方向で嵌合する。これにより、梱包時、よりガタツキが少なく強固に被梱包物を固定することができる。
さらに、梱包体の第１面部から第６面部を展開した状態で上記のような位置関係とすることにより、開梱時、箱状の梱包体の第６面部を開放して上側の緩衝材（第２緩衝体）を上方に引き抜くように取り出す際に、第２面部から第５面部の折込部の凸部との嵌合が解除されるわずかな距離のみ上側の緩衝材（第２緩衝体）を上方に引き抜けば、第２面部から第５面部を外側に押圧することで折込部の一部の挟み込みが緩み、箱状を保持する規制が少なくなり、梱包体と緩衝材の密着度が低減されて、上側の緩衝材（第２緩衝体）を上方に引き抜き易くなる。また、完全に上側の緩衝材（第２緩衝体）を上方に引き抜き取り出すと、第２面部から第５面部の折込部の凸部との嵌合が解除され、箱状を保持する規制が少なくなり、箱状の梱包体は容易に展開されて平板状となる。そして、露わになった被梱包物を下側の緩衝材（第１緩衝体）から分離するように取り出すことは極めて容易に行える。
【００１２】
第３の発明は、上記第１発明において、前記折込部は、基部と、前記組み立てられた状態で前記第１面部側から前記第６面部側に向けて前記基部より延伸する第１凸部と、前記組み立てられた状態で前記第１凸部より、前記第１面部に近い位置かつ前記箱状の内側の位置から前記第６面部側に向けて前記基部より延伸する少なくとも１つ以上の第２凸部と、を備え、前記第１緩衝体の溝部は、少なくとも１つの前記第２凸部の一部と嵌合し、前記第２緩衝体の溝部は、前記第１凸部及び前記第２凸部と前記第６面部側から前記第１面部側に向かう方向で嵌合することを特徴とする。
【００１３】
本願第３発明の梱包組物は、本願第１発明の梱包組物において、折込部に、基部と、組み立てられた状態で第１面部側から第６面部側に向けて基部より延伸する第１凸部と、組み立てられた状態で第１凸部より、第１面部に近い位置かつ箱状の内側の位置から第６面部側に向けて基部より延伸する少なくとも１つ以上の第２凸部とを設ける。下側の緩衝材（第１緩衝体）は、少なくとも１つの第２凸部の一部と嵌合し、また、上側の緩衝材（第２緩衝体）は、第１凸部及び第２凸部と第６面部側から第１面部側に向かう方向で嵌合する。
梱包体を箱状に組み立てて、上下の緩衝材（第２緩衝体及び第１緩衝体）で覆われる被梱包物を梱包する場合、下側の緩衝材（第１緩衝体）の溝部には、それぞれ箱状の内側に折り込まれた第２面部から第５面部の折込部の少なくとも１つの第２凸部の一部が嵌合するとともに、上側の緩衝材（第２緩衝体）の溝部は、それぞれ箱状の内側に折り込まれた第２面部から第５面部の折込部の第１凸部及び第２凸部と第６面部側から第１面部側に向かう方向で嵌合する。これにより、梱包時、よりガタツキが少なく強固に被梱包物を固定することができる。なお、上側の緩衝材（第２緩衝体）の第６面部側から第１面部側に向かう方向での嵌め込み動作に対応して、第２凸部は、第１凸部より、第１面部に近い位置かつ箱状の内側の位置に設けられる。
さらに、梱包体の第１面部から第６面部を展開した状態で上記のような位置関係とすることにより、開梱時、箱状の梱包体の第６面部を開放して上側の緩衝材（第２緩衝体）を上方に引き抜くように取り出す際に、第２面部から第５面部の折込部の第１凸部及び第２凸部との嵌合が解除されるわずかな距離のみ上側の緩衝材（第２緩衝体）を上方に引き抜けば、第２面部から第５面部を外側に押圧することで折込部の一部の挟み込みが緩み、箱状を保持する規制が少なくなり、梱包体と緩衝材の密着度が低減されて、上側の緩衝材（第２緩衝体）を上方に引き抜き易くなる。また、完全に上側の緩衝材（第２緩衝体）を上方に引き抜き取り出すと、第２面部から第５面部の折込部の第１凸部及び第２凸部との嵌合が解除され、箱状を保持する規制が少なくなり、箱状の梱包体は容易に展開されて平板状となる。そして、露わになった被梱包物を下側の緩衝材（第１緩衝体）から分離するように取り出すことは極めて容易に行える。
【００１４】
第４の発明は、上記第３発明において、前記第１面部に最も近い位置の前記第２凸部は、前記第６面部側から前記第１面部側に向かう方向で前記第１緩衝体と嵌合し、前記第１面部側から前記第６面部側に向かう方向で前記第２緩衝体と嵌合することを特徴とする。
【００１５】
本願第４発明の梱包組物は、本願第３発明の梱包組物において、第１面部に最も近い位置の第２凸部は、第６面部側から第１面部側に向かう方向で下側の緩衝材（第１緩衝体）と嵌合し、かつ、第１面部側から第６面部側に向かう方向で上側の緩衝材（第２緩衝体）と嵌合するので、より第１面部側の位置で安定的に固定することができ、また、下側の緩衝材（第１緩衝体）及び上側の緩衝材（第２緩衝体）と嵌合しているので梱包時、よりガタツキなく強固に被梱包物を固定することができる。
【００１６】
第５の発明は、上記第１乃至第４発明において、前記第１緩衝体及び前記第２緩衝体は平面視で四隅に前記溝部が形成された直方体であることを特徴とする。
【００１７】
本願第５発明の梱包組物は、本願第１乃至第４発明の梱包組物において、下側の緩衝材（第１緩衝体）及び上側の緩衝材（第２緩衝体）は、平面視で四隅に溝部が形成されたそれぞれ１つの直方体に形成されている。箱状の梱包体の第２面部から第５面部の隣接する２面により形成される辺に対応する部分に溝部が形成されるので、上側の緩衝材（第２緩衝体）の四隅の角がなく、箱状の梱包体との隙間に指等を差し込んで上側の緩衝材（第２緩衝体）を取り出し易い。また、上側の緩衝材（第２緩衝体）や下側の緩衝材（第１緩衝体）が複数に分割されている構造に比して、それぞれ１回の作業で被梱包物を第１緩衝体及び第２緩衝体から分離するように取り出すことができ、作業の簡略化を図ることができる。
【発明の効果】
【００１８】
本発明によれば、ガタツキが少なく強固に被梱包物を固定することができ、かつ、被梱包物を容易に取り出すことができる。
【図面の簡単な説明】
【００１９】
【図１】本発明の一実施形態における梱包組物の全体的な構成を表す斜視図である。
【図２】梱包体の展開図である。
【図３】第１緩衝体の全体的な構成を表す上方からの斜視図である。
【図４】第２緩衝体の全体的な構成を表す下方からの斜視図である。
【図５】梱包組物の全体的な内部構成を表す斜視図である。
【図６】梱包状態の断面図である。
【発明を実施するための形態】
【００２０】
以下、本発明の一実施の形態を図面を参照しつつ説明する。本実施形態の梱包組物を、図１により説明する。
【００２１】
＜梱包組物の全体的な構成＞
図１に示すように、梱包組物は、段ボール箱等からなる梱包体１００と、発泡スチロール等からなる下側の第１緩衝体２００と、発泡スチロール等からなる上側の第２緩衝体３００から構成されている。略立方体の箱状に組み立てられた梱包体１００の内側表面と電子機器等からなる被梱包物４００の間に第１緩衝体２００と第２緩衝体３００が介装されている。
ここで、第１緩衝体２００及び第２緩衝体３００は、特に、外部からの前後左右方向における衝撃等による損傷等を効果的に抑止するために、組み立てられた梱包体１００の４側面をなす面２，３，４，５の内側表面に密着するような大きさ及び形状に形成されている。
【００２２】
＜梱包体の展開図＞
梱包体１００は、展開されている状態では、図２に示すように、略立方体の箱状に組み立て可能に、所定の裁断機により段ボール等が切断等されて形成されている。
具体的には、４辺を有する略正方形の面１と、面１の第１辺に連続する略正方形の面２と、面１の第２辺に連続する略正方形の面３と、面１の第３辺に連続する略正方形の面４と、面１の第４辺に連続する略正方形の面５と、面５に連続する略長方形の面６ａと、面３に連続する略長方形の面６ｂを有している。面１は下面（底面）を形成し、面２乃至面５は４側面を形成し、面６ａ及び面６ｂは、組み立てられた状態で略正方形の面１と対向する開放可能な略正方形の上面（天面）のフラップ部を形成している。なお、以下では、面６ａ及び面６ｂを合わせて面６ということがある。
【００２３】
面１と面２の境界に折曲線１０ａが、面１と面３の境界に折曲線１０ｂが、面１と面４の境界に折曲線１０ｃが、面１と面５の境界に折曲線１０ｄが設けられており、面２乃至面５を９０度、垂直に起立させて４側面を形成可能としている。
さらに、面５と面６ａの境界に折曲線６０ａが、面３と面６ｂの境界に折曲線６０ｂが設けられており、垂直に起立させた面５及び面３の内側に９０度折り曲げて上面を形成可能としている。
【００２４】
また、４辺を有する略矩形の面１の４隅には、組み立ての際の段ボール等の厚み（約０．５ｍｍ乃至１０ｍｍ）を考慮した切欠部１１ａ，１１ｂ，１１ｃ，１１ｄが設けられている。
【００２５】
面２乃至面５は、それぞれ梱包体１００が略立方体の箱状に組み立てられた状態（以下、「組み立てられた状態」ということがある。）で直方体の箱状の内側に９０度折り込み可能な同一形状の折込板を他面と連続していない両側に有している。
【００２６】
具体的には、面２の一側の折込板は、長方形と三角形の組み合わせによる半矢印形状の基部２０ａと、組み立てられた状態で面１から面６に向けて基部２０ａの長方形部分より延伸する第１凸部２１ａと、組み立てられた状態で第１凸部２１ａより、面１に近い位置かつ箱状のより内側の位置から面６側に向けて基部２０ａの三角形部分より延伸する第２凸部２２ａを有している。
また、面２の他側の折込板は、長方形と三角形の組み合わせによる半矢印形状の基部２０ｂと、組み立てられた状態で面１から面６に向けて基部２０ｂの長方形部分より延伸する第１凸部２１ｂと、組み立てられた状態で第１凸部２１ｂより、面１に近い位置かつ箱状のより内側の位置から面６側に向けて基部２０ｂの三角形部分より延伸する第２凸部２２ｂを有している。
【００２７】
同様に、面３の一側の折込板は、長方形と三角形の組み合わせによる半矢印形状の基部３０ａと、組み立てられた状態で面１から面６に向けて基部３０ａの長方形部分より延伸する第１凸部３１ａと、組み立てられた状態で第１凸部３１ａより、面１に近い位置かつ箱状のより内側の位置から面６側に向けて基部３０ａの三角形部分より延伸する第２凸部３２ａを有している。
また、面３の他側の折込板は、長方形と三角形の組み合わせによる半矢印形状の基部３０ｂと、組み立てられた状態で面１から面６に向けて基部３０ｂの長方形部分より延伸する第１凸部３１ｂと、組み立てられた状態で第１凸部３１ｂより、面１に近い位置かつ箱状のより内側の位置から面６側に向けて基部３０ｂの三角形部分より延伸する第２凸部３２ｂを有している。
【００２８】
同様に、面４の一側の折込板は、長方形と三角形の組み合わせによる半矢印形状の基部４０ａと、組み立てられた状態で面１から面６に向けて基部４０ａの長方形部分より延伸する第１凸部４１ａと、組み立てられた状態で第１凸部４１ａより、面１に近い位置かつ箱状のより内側の位置から面６側に向けて基部４０ａの三角形部分より延伸する第２凸部４２ａを有している。
また、面４の他側の折込板は、長方形と三角形の組み合わせによる半矢印形状の基部４０ｂと、組み立てられた状態で面１から面６に向けて基部４０ｂの長方形部分より延伸する第１凸部４１ｂと、組み立てられた状態で第１凸部４１ｂより、面１に近い位置かつ箱状のより内側の位置から面６側に向けて基部４０ｂの三角形部分より延伸する第２凸部４２ｂを有している。
【００２９】
同様に、面５の一側の折込板は、長方形と三角形の組み合わせによる半矢印形状の基部５０ａと、組み立てられた状態で面１から面６に向けて基部５０ａの長方形部分より延伸する第１凸部５１ａと、組み立てられた状態で第１凸部５１ａより、面１に近い位置かつ箱状のより内側の位置から面６側に向けて基部５０ａの三角形部分より延伸する第２凸部５２ａを有している。
また、面５の他側の折込板は、長方形と三角形の組み合わせによる半矢印形状の基部５０ｂと、組み立てられた状態で面１から面６に向けて基部５０ｂの長方形部分より延伸する第１凸部５１ｂと、組み立てられた状態で第１凸部５１ｂより、面１に近い位置かつ箱状のより内側の位置から面６側に向けて基部５０ｂの三角形部分より延伸する第２凸部５２ｂを有している。
【００３０】
＜第１緩衝体＞
第１緩衝体２００について、図１における手前側上方視における斜視図を図３に示す。
【００３１】
図３を参照すると、第１緩衝体２００は、梱包体１００の面１，６と同等の形状の上面及び下面を有し、略立方体の箱状に組み立てられた梱包体１００の高さの数分の１の高さとなるように４側面を有する略直方体形状に形成されており、中央部に直方体の凹部７を有している。
さらに、隣接する２側面により形成される４辺を含む４隅にはそれぞれ、高さ方向に渡り垂直面の溝部７０ａと、溝部７０ａの上端から上方内側に向かって凹部７に至るまで傾斜する斜面の溝部７１ａが、また、同様に垂直面の溝部７０ｂと斜面の溝部７１ｂ、垂直面の溝部７０ｃと斜面の溝部７１ｃ、垂直面の溝部７０ｄと斜面の溝部７１ｄが設けられている。
垂直面の溝部７０及び斜面の溝部７１の深さ方向の寸法は、組み立てられた梱包体１００の基部２０ａ等の折込幅の寸法と整合するように形成されている。また、斜面の溝部７１の傾斜角度は、組み立てられた梱包体１００の基部２０ａ等の三角形部分がなす角度と整合するように形成されている（図６のＡ−Ａ断面図も参照）。
【００３２】
＜第２緩衝体＞
第２緩衝体３００について、図１における手前側下方視における斜視図を図４に示す。
【００３３】
図４を参照すると、第２緩衝体３００は、梱包体１００の面１，６と同等の形状の上面及び下面を有し、略立方体の箱状に組み立てられた梱包体１００の高さの２分の１超の高さであって、第１緩衝体２００の高さと合計すると梱包体１００の高さと同等となるように４側面を有する略直方体形状に形成されており、中央部に直方体の空間部（逆凹部）８を有している。
さらに、隣接する２側面により形成される４辺を含む４隅にはそれぞれ、高さ方向に渡り垂直面の溝部８０ｄと、溝部８０ｄの上端外側に設けられ組み立てられた梱包体１００の第１凸部４１ｂ及び第１凸部５１ａと嵌合する空間（逆凹）を形成する第１凹部の溝部８１ｄと、溝部８０ｄの下端内側に設けられ組み立てられた梱包体１００の第２凸部４２ｂ及び第２凸部５２ａと嵌合する空間（逆凹）を形成する第２凹部の溝部８２ｄが、また、同様に垂直面の溝部８０ａと第１凹部の溝部８１ａ（不図示）と第２凹部の溝部８２ａ、垂直面の溝部８０ｂと第１凹部の溝部８１ｂ（不図示）と第２凹部の溝部８２ｂ、垂直面の溝部８０ｃと第１凹部の溝部８１ｃ（不図示）と第２凹部の溝部８２ｃが設けられている。
【００３４】
＜梱包手順＞
図５等を参照して、梱包組物により被梱包物４００を梱包する手順を説明する。
まず、図２に示すように展開された状態に梱包体１００を準備する。
次に、梱包体１００の面１に積み重ねるように、第１緩衝体２００を載置する。
【００３５】
次に、面２乃至面５の両側の折込板全体を９０度折り込み、垂直に起立させる。
そして、面２乃至面５を、それぞれ折曲線１０ａ，１０ｂ，１０ｃ，１０ｄに沿って、９０度折り曲げ、垂直に起立させて４側面を形成し、面１に載置した第１緩衝体２００を密着して囲い込む。それと同時に、面６ａ及び面６ｂを、それぞれ折曲線６０ａ，６０ｂに沿って、９０度折り曲げ、外側に開いておく。この時の梱包体１００及び第１緩衝体２００の位置関係は図１に示すとおりである。ここで、理解の容易化のために、図１における梱包体１００の手前側の２側面、すなわち面４、面５及び面６ａ等を取り除いた仮想状態を図５に示す。
図５を参照すると、上記の梱包体１００の面２乃至面５を起立させて第１緩衝体２００を囲い込む際に、面２乃至面５の両側の９０度折り込まれている折込板も第１緩衝体２００の溝部と嵌合する。具体的には、梱包体１００の基部２０ａ及び５０ｂが並び重なり合って第１緩衝体２００の垂直面の溝部７０ａに挿し込まれて斜面の溝部７１ａと嵌合する。斜面の溝部７１ａの鉛直方向に対する傾斜角度は、梱包体１００の梱包体１００の基部２０ａ及び５０ｂの三角形部分が鉛直方向に対して斜線となる辺がなす角度と整合するように形成されている（図６のＡ−Ａ断面図も参照）。また、垂直面の溝部７０ａ及び斜面の溝部７１ａの幅方向の寸法は、梱包体１００の基部２０ａ及び５０ｂが並び重なり合った厚みの寸法より若干大きくなるように形成されている。
同様に、梱包体１００の基部２０ｂ及び３０ａが並び重なり合って第１緩衝体２００の垂直面の溝部７０ｂに挿し込まれて斜面の溝部７１ｂと嵌合する。また、梱包体１００の基部３０ｂ及び４０ａが並び重なり合って第１緩衝体２００の垂直面の溝部７０ｃに挿し込まれて斜面の溝部７１ｃと嵌合する。また、梱包体１００の基部４０ｂ（不図示）及び５０ａ（不図示）が並び重なり合って第１緩衝体２００の垂直面の溝部７０ｄに挿し込まれて斜面の溝部７１ｄと嵌合する。
【００３６】
次に、梱包体１００の開放した面６ａ，６ｂから、被梱包物４００が第１緩衝体２００の凹部７に載置される。
【００３７】
次に、梱包体１００の開放した面６ａ，６ｂから、被梱包物４００の上方に空間部８が設けられた第２緩衝体３００が覆いかぶさるように落とし込まれて、第１緩衝体２００の凹部７と第２緩衝体３００の空間部８により形成される空間内に被梱包物４００を収納して、第１緩衝体２００及び第２緩衝体３００により上下左右から挟み込むように保持して、被梱包物４００を固定するとともに、外部６方向からの衝撃等を吸収している。
図５を参照すると、上記の第２緩衝体３００が落とし込まれる際に、梱包体１００の面２乃至面５の両側の９０度折り込まれている折込板も第２緩衝体３００の溝部と嵌合する。具体的には、梱包体１００の第１凸部４１ｂ，５１ａ（不図示）と、基部４０ｂ，５０ａ（不図示）と、第２凸部４２ｂ，５２ａ（不図示）がそれぞれ並び重なり合っている状態において、第２緩衝体３００の垂直面の溝部８０ｄが基部４０ｂ，５０ａに案内されて第２緩衝体３００が落とし込まれ、第２緩衝体３００の第１凹部の溝部８１ｄが梱包体１００の第１凸部４１ｂ，５１ａと嵌合するとともに、第２緩衝体３００の第２凹部の溝部８２ｄが梱包体１００の第２凸部４２ｂ，５２ａと嵌合する（図６のＡ−Ａ断面図も参照）。
同様に、図５には示していないが、第２緩衝体３００の第１凹部の溝部８１ａが梱包体１００の第１凸部２１ａ，５１ｂと嵌合するとともに、第２緩衝体３００の第２凹部の溝部８２ａが梱包体１００の第２凸部２２ａ，５２ｂと嵌合する。また、第２緩衝体３００の第１凹部の溝部８１ｂが梱包体１００の第１凸部２１ｂ，３１ａと嵌合するとともに、第２緩衝体３００の第２凹部の溝部８２ｂが梱包体１００の第２凸部２２ｂ，３２ａと嵌合する。また、第２緩衝体３００の第１凹部の溝部８１ｃが梱包体１００の第１凸部３１ｂ，４１ａと嵌合するとともに、第２緩衝体３００の第２凹部の溝部８２ｃが梱包体１００の第２凸部３２ｂ，４２ａと嵌合する。
【００３８】
最後に、梱包体１００のフラップ部を形成する面６ａ，６ｂを閉鎖して必要に応じてガムテープ等を貼り付け、略立方体の箱状に組み立てられた梱包体１００、第１緩衝体２００及び第２緩衝体３００による梱包組物により被梱包物４００の梱包が完了する。
【００３９】
＜開梱手順＞
次に、図５等を参照して、被梱包物４００を梱包している梱包組物を開梱する手順を説明する。
まず、図１に示すように梱包体１００のフラップ部を形成する面６ａ，６ｂを開放する。
【００４０】
次に、梱包体１００の開放した面６ａ，６ｂから、被梱包物４００の上方を覆っている第２緩衝体３００を上方に引き抜く。第２緩衝体３００の平面視における四隅に溝部が形成されており、四隅の角がなく、４側面を形成している面２乃至面５との隙間に指等を差し込んで第２緩衝体３００を上方に引き抜く。
この際に、第２緩衝体３００の４つの溝部とそれぞれ嵌合している梱包体１００の面２乃至面５の両側の折込板の第１凸部及び第２凸部の嵌合（具体的には、上記の梱包手順で説明したので重複する説明は省略する）も解除される。
このように、第２緩衝体３００の溝部と梱包体１００の第１凸部及び第２凸部の嵌合が解除されると、第１緩衝体２００を密着して囲い込む梱包体１００の面２乃至面５は、垂直に起立させておくことが困難である、あるいはかろうじて垂直に起立している状態となる。なぜなら、面２乃至面５の両側の９０度折り込まれている折込板は、幅方向の寸法が梱包体１００の２つの基部が並び重なり合った厚みの寸法より若干大きい第１緩衝体２００の溝部と嵌合しているに過ぎなく、このことのみが垂直に起立している状態を保持する規制となるからである。
したがって、梱包体１００の面２乃至面５の自重により自然に、あるいは４側面を形成するかろうじて垂直に起立している面２乃至面５を手で外側にわずかに押圧することにより、梱包体１００を図２に示すような展開した状態であって、梱包体１００の面１に第１緩衝体２００を載置した状態にすることができる。
【００４１】
そして、第２緩衝体３００の空間部８内に収納されていた部分全体が露わになった被梱包物４００を、手を自由に動かして第１緩衝体２００の凹部７から取り出すことにより、被梱包物４００を梱包していた梱包体１００、第１緩衝体２００及び第２緩衝体３００による梱包組物の開梱が完了する。
【００４２】
以上説明したように、本実施形態においては、梱包組物は、梱包体１００、第１緩衝体２００及び第２緩衝体３００からなる。そして、梱包体１００は、展開された状態において、４辺を有する略正方形の面１と、面１の第１辺に連続する略正方形の面２と、面１の第２辺に連続する略正方形の面３と、面１の第３辺に連続する略正方形の面４と、面１の第４辺に連続する略正方形の面５と、面５に連続する略長方形の面６ａと、面３に連続する略長方形の面６ｂを有している。また、梱包体１００の面２乃至面５の両側の折込板には面１から面６に向けた第１凸部及び第２凸部が形成されており、第２凸部は、組み立てられた状態で第１凸部より面１に近い位置かつ箱状のより内側の位置において形成されている。また、第１緩衝体２００の四隅には面２乃至面５の両側の折込板の基部と嵌合する溝部が形成されている。また、第２緩衝体３００の四隅には面２乃至面５の両側の折込板の１凸部及び第２凸部と嵌合する第１凹部及び第２凹部を有する溝部が形成されている。
これにより、梱包時には、梱包体１００の面２乃至面５の両側の折込板の基部と第１緩衝体２００の四隅の溝部が嵌合するとともに、梱包体１００の面２乃至面５の両側の折込板の第１凸部及び第２凸部と第２緩衝体３００の四隅の溝部がそれぞれ嵌合することとなる。したがって、梱包組物による梱包時、ガタツキが少なく強固に被梱包物４００が固定される。
一方、開梱時には、梱包体１００の開放した面６ａ，６ｂから、第２緩衝体３００を上方に引き抜くように取り出す際に、第２緩衝体３００の四隅の溝部とそれぞれ嵌合している梱包体１００の面２乃至面５の両側の折込板の第１凸部及び第２凸部との嵌合が解除されるわずかな距離のみ第２緩衝体３００を上方に引き抜けば、梱包体１００の面２乃至面５を外側に押圧することで折込板の基部の第２緩衝体３００の四隅の溝部への挟み込みが緩み、梱包体１００の箱状を保持する規制が少なくなり、梱包体１００と第２緩衝体３００の密着度が低減されて、第２緩衝体３００を上方に引き抜き易くなる。また、完全に第２緩衝体３００を上方に引き抜き取り出すと、面２乃至面５の両側の折込板の第１凸部及び第２凸部との嵌合が解除され、梱包体１００の面２乃至面５の両側の折込板の基部が第１緩衝体２００の四隅の溝部と嵌合しているに過ぎない状態となり、面２乃至面５は、自重により自然に、あるいは手で外側にわずかに押圧することで展開し、その結果、梱包体１００全体が展開した状態において、面１に被梱包物４００を収納している第１緩衝体２００を載置した状態となる。したがって、手を自由に動かして第１緩衝体２００から被梱包物４００を容易に取り出すことができる。
【００４３】
また、本実施形態では、第２緩衝体３００の平面視における四隅に溝部が形成されている。これにより、四隅の角がないため、第２緩衝体３００と４側面を形成している面２乃至面５の隙間に指等を差し込んで第２緩衝体３００を容易に上方に引き抜くことができる。
【００４４】
また、本実施形態では、第１緩衝体２００及び第２緩衝体３００が単一に形成されている。これにより、第１緩衝体２００又は第２緩衝体３００が複数に分割されている構造に比して、それぞれ１回の作業で被梱包物４００を第１緩衝体２００及び第２緩衝体３００から分離するように取り出すことができ、作業の簡略化を図ることができる。
【００４５】
＜変形例＞
梱包体１００の面２乃至面５の両側の折込板の第１凸部と第２凸部は形成されていない、簡易な構成であってもよい。
すなわち、梱包時には、第１緩衝体２００及び第２緩衝体３００の四隅の溝部には、それぞれ梱包体１００の面２乃至面５の両側の折込板の一部が挟み込まれる。これにより、梱包時、第１緩衝体２００及び第２緩衝体３００の四隅の溝部に折込板の一部を挟み込んでいない構造に比して、ガタツキが少なく強固に被梱包物４００を固定することができる。
また、開梱時には、第２緩衝体３００を上方に引き抜くように取り出す際に、面２乃至面５を外側に押圧することで折込板の一部の挟み込みが緩み、箱状を保持する規制が少なくなり、梱包体１００と第２緩衝体３００の密着度が低減されて、第２緩衝体３００を上方に引き抜き易くなる。また、完全に第２緩衝体３００を上方に引き抜き取り出すと、第２緩衝体３００の溝部に挟み込まれていた面２乃至面５の折込板の一部がもはや挟み込まれないこととなり、箱状を保持する規制が少なくなり、箱状の梱包体１００は容易に展開されて平板状となる。そして、露わになった被梱包物４００を第１緩衝体２００から分離するように取り出すことは極めて容易に行える。なお、梱包時、第１緩衝体２００及び第２緩衝体３００の四隅の溝部に面２乃至面５の両側の折込板の一部を挟み込むことでは箱状を保持する規制として十分でない場合には、紐等で面２乃至面５の周囲を縛って固定するようにしてもよい。
【００４６】
また、梱包体１００の面２乃至面５の両側の折込板の第１凸部と第２凸部は、いずれか一方のみが形成されることであってもよい。これにより、簡易な構成でガタツキが少なく強固に被梱包物４００を固定することができる。
梱包体１００の面２乃至面５の両側の折込板の第２凸部は、複数形成されてもよい。これにより、よりガタツキが少なく強固に被梱包物４００を固定することができる。また、第２凸部が複数形成されている場合において、梱包体１００の面１に最も近い位置の第２凸部が第２緩衝体３００と嵌合することとすると、より面１（底面）側の位置で安定的に固定することができる。
【００４７】
また、梱包手順として、被梱包物４００は、第１緩衝体２００を梱包体１００の面１に積み重ねるように載置した後に、第１緩衝体２００の凹部７に収納することであってもよい。被梱包物４００の大きさや重さ等によっては、梱包の最終段階で収納するのでは、誤って落下させてしまい損傷等するおそれがあり、このリスクを回避することができる。
【００４８】
また、第１緩衝体２００及び第２緩衝体３００の四隅の溝部に挟み込まれる梱包体１００の面２乃至面５の両側の折込板に関して、折込板と溝部の寸法や形状は厳密には一致していなくてもよい。
【００４９】
また、梱包体１００の面６ａ，６ｂは、面３又は面５に連続する１枚の面６として形成されていてもよい。簡易な構造により、上記の実施形態とほぼ同様の効果を奏することができる。
【００５０】
また、梱包体１００の面２乃至面５の折込板は両側ではなく、各面の片側いずれかのみに形成されることであってもよい。簡易な構造により、上記の実施形態とほぼ同様の効果を奏することができる。
【００５１】
また、以上既に述べた以外にも、上記実施形態や各変形例による手法を適宜組み合わせて利用してもよい。
【００５２】
その他、一々例示はしないが、本発明は、その趣旨を逸脱しない範囲内において、各構成部分の大きさや形状を含む種々の変更が加えられて実施されるものである。
【符号の説明】
【００５３】
１００                                                  梱包体
２００                                                  第１緩衝体
３００                                                  第２緩衝体
４００                                                  被梱包物
１〜５、６ａ、６ｂ                                      面
２０ａ、２０ｂ、３０ａ、３０ｂ、４０ａ、４０ｂ、５０ａ、５０ｂ  基部
２１ａ、２１ｂ、３１ａ、３１ｂ、４１ａ、４１ｂ、５１ａ、５１ｂ  第１凸部
２２ａ、２２ｂ、３２ａ、３２ｂ、４２ａ、４２ｂ、５２ａ、５２ｂ  第２凸部
７０ａ〜ｄ、７１ａ〜ｄ                                  溝部（第１緩衝体）
８０ａ〜ｄ、８１ａ〜ｄ、８２ａ〜ｄ                      溝部（第２緩衝体）
【図１】
0005974577.tif 000002
【図２】
0005974577.tif 000003
【図３】
0005974577.tif 000004
【図４】
0005974577.tif 000005
【図５】
0005974577.tif 000006
【図６】
0005974577.tif 000007